(57)【要約】【課題】別のネットワークにある端末装置からの要求により電源制御を行うことができる情報処理システム及び電源制御方法を提供することを課題とする。【解決手段】電気機器に電力を供給する電源接続機器に要求を行う情報処理装置と、情報処理装置とは別のネットワークに存在する中継装置と、を有する情報処理システムであって、中継装置は、端末装置から情報処理装置に対する要求を受け付ける要求受付手段と、情報処理装置からの問い合わせに対する応答として端末装置から受け付けた要求を提供する要求提供手段とを有し、情報処理装置は、中継装置から前記端末装置からの要求を受け付ける要求受付手段と、端末装置からの要求を電源接続機器に対して行う要求手段とを有することにより、上記課題を解決する。【選択図】  図１
2015133060.tif 000002
【特許請求の範囲】
【請求項１】
電気機器に電力を供給する電源接続機器に要求を行う情報処理装置と、前記情報処理装置とは別のネットワークに存在する中継装置と、を有する情報処理システムであって、
前記中継装置は、
端末装置から前記情報処理装置に対する要求を受け付ける要求受付手段と、
前記情報処理装置からの問い合わせに対する応答として前記端末装置から受け付けた要求を提供する要求提供手段と
を有し、
前記情報処理装置は、
前記中継装置から前記端末装置からの要求を受け付ける要求受付手段と、
前記端末装置からの要求を前記電源接続機器に対して行う要求手段と
を有することを特徴とする情報処理システム。
【請求項２】
前記中継装置は、前記情報処理装置から前記電源接続機器に対して行った要求の処理結果を受信し、受信した要求の処理結果を前記端末装置に送信する結果送受信手段
を更に有することを特徴とする請求項１記載の情報処理システム。
【請求項３】
前記要求手段は、前記端末装置からの要求に基づき、前記電源接続機器に対して前記電気機器の消費電力の情報を要求すること
を特徴とする請求項１又は２記載の情報処理システム。
【請求項４】
前記要求手段は、前記端末装置からの要求に基づき、前記電源接続機器に対して前記電気機器の電源制御を要求すること
を特徴とする請求項１乃至３何れか一項記載の情報処理システム。
【請求項５】
前記情報処理装置は、前記中継装置との通信に関係する処理を行う装置と、前記電源接続機器との通信に関係する管理装置と、に分離された構成であること
を特徴とする請求項１乃至４何れか一項記載の情報処理システム。
【請求項６】
前記中継装置との通信に関係する処理を行う装置は、前記電気機器に対して行った要求に基づいて前記電気機器の利用状況を確認し、前記管理装置が前記電源接続機器に対して行った要求の処理結果に前記電気機器の利用状況を付加して前記中継装置に送信する
請求項５記載の情報処理システム。
【請求項７】
前記電源接続機器は、１つ以上の電源接続部を有し、前記電源接続部ごとに消費電力の計測及び電源制御が可能であること
を特徴とする請求項１乃至６何れか一項記載の情報処理システム。
【請求項８】
電気機器に電力を供給する電源接続機器に要求を行う情報処理装置に搭載された第１のプログラムと、前記情報処理装置とは別のネットワークに存在する中継装置に搭載された第２のプログラムと、を有する情報処理システムであって、
前記第２のプログラムは、前記中継装置を、
端末装置から前記情報処理装置に対する要求を受け付ける要求受付手段、
前記情報処理装置からの問い合わせに対する応答として前記端末装置から受け付けた要求を提供する要求提供手段
として機能させ、
前記第１のプログラムは、前記情報処理装置を、
前記中継装置から前記端末装置からの要求を受け付ける要求受付手段、
前記端末装置からの要求を前記電源接続機器に対して行う要求手段
として機能させることを特徴とする情報処理システム。
【請求項９】
電気機器に電力を供給する電源接続機器に要求を行う情報処理装置と、前記情報処理装置とは別のネットワークに存在する中継装置と、を有する情報処理システムにおいて実行される電源制御方法であって、
前記中継装置が端末装置から前記情報処理装置に対する要求を受け付けるステップと、
前記中継装置が前記情報処理装置からの問い合わせに対する応答として前記端末装置から受け付けた要求を提供するステップと、
前記情報処理装置が前記中継装置から受け付けた前記端末装置からの要求を前記電源接続機器に対して行うステップと
を有することを特徴とする電源制御方法。
【発明の詳細な説明】
【技術分野】
【０００１】
本発明は、情報処理システム及び電源制御方法に関する。
【背景技術】
【０００２】
従来、ネットワークを介して複写機などのホスト装置と、ホスト装置を利用するクライアント端末の電源を一括管理する電源管理システムが知られている。このような電源管理システムでは複数のクライアント端末の電源管理を同一の条件で一元管理することにより省エネルギー化を向上させることを目的としていた（例えば特許文献１参照）。
【発明の概要】
【発明が解決しようとする課題】
【０００３】
例えばコンセント単位の電力を計測及び制御する技術の一例としてスマート電源タップが知られている。スマート電源タップはコンセントに流れる電流を検出するセンサが内蔵されており、コンセントごとの消費電力の計測及び制御ができる。
【０００４】
コンセントごとの消費電力を計測及び制御することが可能なスマート電源タップなどの電源接続機器はユーザの操作する端末装置からコンセントごとの消費電力の計測及び制御を要求される場合がある。しかしながら、電源接続機器が接続されたネットワークとは別のネットワーク上に接続される端末装置において、コンセントごとの消費電力の計測及び制御を電源接続機器に要求できない場合があった。
【０００５】
本発明の一実施形態は上記の点に鑑みなされたもので、別のネットワークにある端末装置からの要求により電源制御を行うことができる情報処理システム及び電源制御方法を提供することを目的とする。
【課題を解決するための手段】
【０００６】
上記目的を達成するため、本願請求項１は、電気機器に電力を供給する電源接続機器に要求を行う情報処理装置と、前記情報処理装置とは別のネットワークに存在する中継装置と、を有する情報処理システムであって、前記中継装置は、端末装置から前記情報処理装置に対する要求を受け付ける要求受付手段と、前記情報処理装置からの問い合わせに対する応答として前記端末装置から受け付けた要求を提供する要求提供手段とを有し、前記情報処理装置は、前記中継装置から前記端末装置からの要求を受け付ける要求受付手段と、前記端末装置からの要求を前記電源接続機器に対して行う要求手段とを有することを特徴とする。
【発明の効果】
【０００７】
本発明の一実施形態によれば、別のネットワークにある端末装置からの要求により電源制御を行うことができる。
【図面の簡単な説明】
【０００８】
【図１】本実施形態に係る情報処理システムの一例の構成図である。
【図２】本実施形態に係るコンピュータの一例のハードウェア構成図である。
【図３】本実施形態に係る情報処理装置の一例の処理ブロック図である。
【図４】本実施形態に係るリレーサーバの一例の処理ブロック図である。
【図５】紐付け情報の一例の構成図である。
【図６】スマートデバイスと情報処理装置との通信の一例について説明する図である。
【図７】スマートデバイスの一例の画面例である。
【図８】第２の実施形態に係る情報処理システムの一例の構成図である。
【図９】第３の実施形態に係る情報処理システムの一例の構成図である。
【図１０】第３の実施形態に係る情報処理装置の一例の処理ブロック図である。
【図１１】第３の実施形態に係る管理装置の一例の処理ブロック図である。
【図１２】紐付け情報の他の例の構成図である。
【図１３】第３の実施形態に係る情報処理システムの処理手順を表した一例のシーケンス図である。
【図１４】スマートデバイスの一例の画面例である。
【発明を実施するための形態】
【０００９】
次に、本発明の実施の形態について、詳細に説明する。
［第１の実施形態］
＜システム構成＞
図１は本実施形態に係る情報処理システムの一例の構成図である。図１の情報処理システム１はインターネットなどのネットワークＮ１に端末装置の一例としての一つ以上のスマートデバイス１１とリレーサーバ１２とが接続されている。また、図１の情報処理システム１は社内ＬＡＮ等のプライベートなネットワークＮ２に情報処理装置２１と、一つ以上の電気機器２２と、一つ以上の親機のスマート電源タップ２３とが接続されている。
【００１０】
ネットワークＮ１とネットワークＮ２とはファイアウォール（ＦＷ）を介して接続されている。さらに、図１の情報処理システム１は電気機器２２に子機のスマート電源タップ２４が接続されている。
【００１１】
ネットワークＮ１は、例えば有線ＬＡＮや無線ＬＡＮなどを利用したイントラネットやインターネット等である。スマートデバイス１１はスマートフォンやタブレット端末などのユーザが操作する端末装置の一例である。スマートデバイス１１はスマートフォンやタブレット端末の他、携帯電話、ノートＰＣなど、ユーザが操作できる装置であればよい。
【００１２】
リレーサーバ１２はプライベートなネットワークＮ２とは別のネットワークＮ１にあるスマートデバイス１１からＦＷを超えた通信を可能とするものである。リレーサーバ１２はスマートデバイス１１からの要求を受け付け、情報処理装置２１からの問い合わせに対する応答としてスマートデバイス１１からの要求を返す。
【００１３】
電気機器２２は消費電力の計測や電源制御を行いたい機器である。電気機器２２は例えば複合機（ＭＦＰ）やプロジェクタ、プリンタ、スキャナ、複写機、画像表示装置などの機器である。なお、電気機器２２はネットワークＮ２に接続されていない場合もある。
【００１４】
子機のスマート電源タップ２４は電気機器２２に電力を供給する１つ以上のコンセントを配置した電源接続機器の一例である。本実施形態で使用する子機のスマート電源タップ２４はコンセントごとに消費電力の計測及び電源（通電）制御を行うことができる。親機のスマート電源タップ２３は子機のスマート電源タップ２４によって計測されたコンセントごとの消費電力を監視し、情報処理装置２１に通知できる。また、親機のスマート電源タップ２３は子機のスマート電源タップ２４にコンセントごとの電源制御を要求できる。
【００１５】
なお、電気機器２２に供給される電圧が特定できる場合は子機のスマート電源タップ２４が消費電力に替えて電流値を計測し、親機のスマート電源タップ２３が子機のスマート電源タップ２４によって計測されたコンセントごとの電流値を監視してもよい。この場合は例えば情報処理装置２１が子機のスマート電源タップ２４のコンセントごとの電流値を消費電力に換算すればよい。また、情報処理装置２１は複数のコンピュータに分散して構成するようにしてもよい。
【００１６】
図１の情報処理システム１において、スマートデバイス１１は情報処理装置２１宛てにリレーサーバ１２を経由して稼働状況取得要求や電源制御要求を送信する。スマートデバイス１１はリレーサーバ１２を経由することでＦＷを超えて情報処理装置２１との通信が可能となる。なお、リレーサーバ１２の処理については後述する。
【００１７】
情報処理装置２１はスマートデバイス１１からの稼働状況取得要求や電源制御要求を受信し、その稼働状況取得要求や電源制御要求に応じた要求を親機のスマート電源タップ２３に送信する。親機のスマート電源タップ２３は情報処理装置２１からの要求を子機のスマート電源タップ２４に対して送信する。子機のスマート電源タップ２４は受信した要求に応じてコンセントごとの消費電力の計測や電源制御を行う。
【００１８】
なお、図１に示したように情報処理装置２１からの要求を受信する親機のスマート電源タップ２３は複数であってもよい。また、親機のスマート電源タップ２３からの要求を受信する子機のスマート電源タップ２４は複数であってもよい。
【００１９】
＜ハードウェア構成＞
スマートデバイス１１、リレーサーバ１２、情報処理装置２１は例えば図２に示すようなハードウェア構成のコンピュータにより実現することができる。図２は本実施形態に係るコンピュータの一例のハードウェア構成図である。
【００２０】
図２のコンピュータ１００は入力装置１０１、表示装置１０２、外部Ｉ／Ｆ１０３、ＲＡＭ１０４、ＲＯＭ１０５、ＣＰＵ１０６、通信Ｉ／Ｆ１０７及びＨＤＤ１０８などを備え、それぞれがバスＢで相互に接続されている。なお、入力装置１０１及び表示装置１０２は必要なときに接続して利用する形態であってもよい。
【００２１】
入力装置１０１はキーボードやマウス、タッチパネルなどを含み、コンピュータ１００に各操作信号を入力するために用いられる。また、表示装置１０２はディスプレイなどを含み、コンピュータ１００による処理結果を表示する。通信Ｉ／Ｆ１０７はコンピュータ１００をネットワークＮ１、Ｎ２に接続するインタフェースである。コンピュータ１００は通信Ｉ／Ｆ１０７を介して他のコンピュータ１００や電気機器２２、親機のスマート電源タップ２３等とデータ通信を行うことができる。
【００２２】
ＨＤＤ１０８は、プログラムやデータを格納している不揮発性の記憶装置である。格納されるプログラムやデータにはコンピュータ１００全体を制御する基本ソフトウェアであるＯＳ、及び、ＯＳ上において各種機能を提供するアプリケーションソフトウェアなどがある。また、ＨＤＤ１０８は、格納しているプログラムやデータを所定のファイルシステム及び／又はＤＢ（データベース）により管理している。
【００２３】
外部Ｉ／Ｆ１０３は、外部装置とのインタフェースである。外部装置には、記録媒体１０３ａなどがある。コンピュータ１００は外部Ｉ／Ｆ１０３を介して、記録媒体１０３ａの読み取り及び／又は書き込みを行うことができる。なお、記録媒体１０３ａにはフレキシブルディスク、ＣＤ、ＤＶＤ、ＳＤメモリカード、ＵＳＢメモリ等がある。
【００２４】
ＲＯＭ１０５は電源を切ってもプログラムやデータを保持することができる不揮発性の半導体メモリ（記憶装置）である。ＲＯＭ１０５にはコンピュータ１００の起動時に実行されるＢＩＯＳ、ＯＳ設定、及びネットワーク設定などのプログラムやデータが格納されている。ＲＡＭ１０４はプログラムやデータを一時保持する揮発性の半導体メモリ（記憶装置）である。
【００２５】
ＣＰＵ１０６は、ＲＯＭ１０５やＨＤＤ１０８などの記憶装置からプログラムやデータをＲＡＭ１０４上に読み出し、処理を実行することで、コンピュータ１００全体の制御や機能を実現する演算装置である。
【００２６】
本実施形態に係るコンピュータ１００は、上記ハードウェア構成により、後述するような各種処理を実現できる。
【００２７】
＜ソフトウェア構成＞
《情報処理装置》
本実施形態に係る情報処理装置２１は、例えば図３に示すような処理ブロックで実現される。図３は本実施形態に係る情報処理装置の一例の処理ブロック図である。情報処理装置２１はプログラムを実行することで、要求取得部３１、結果送信部３２、機器電力収集部３３、稼働状況提供部３４、電源制御部３５、設定情報記憶部３６を実現している。
【００２８】
要求取得部３１はリレーサーバ１２を経由してスマートデバイス１１からの稼働状況取得要求や電源制御要求を受信する。また、結果送信部３２はリレーサーバ１２を経由してスマートデバイス１１に稼働状況取得要求や電源制御要求の処理結果を送信する。機器電力収集部３３は親機のスマート電源タップ２３と通信を行い、子機のスマート電源タップ２４のコンセントごとに計測された消費電力の情報を収集する。収集した消費電力の情報はＨＤＤ１０８などの記憶装置に記憶される。
【００２９】
稼働状況提供部３４はスマートデバイス１１からの稼働状況取得要求に応じて例えば子機のスマート電源タップ２４のコンセントごとに計測された消費電力の情報から電気機器２２の稼働状況を判断する。稼働状況提供部３４は判断した電気機器２２の稼働状況を稼働状況取得要求の処理結果として結果送信部３２に提供する。
【００３０】
電源制御部３５は親機のスマート電源タップ２３と通信を行い、スマートデバイス１１からの電源制御要求に応じて子機のスマート電源タップ２４のコンセントごとの電源制御を要求する。設定情報記憶部３６は情報処理装置２１が各種処理に利用する設定情報を記憶している。なお、設定情報記憶部３６が記憶する設定情報には後述するように電気機器２２と子機のスマート電源タップ２４とを紐付ける紐付け情報が含まれている。
【００３１】
《リレーサーバ》
本実施形態に係るリレーサーバ１２は例えば図４に示す処理ブロックで実現される。図４は本実施形態に係るリレーサーバの一例の処理ブロック図である。リレーサーバ１２はプログラムを実行することで、要求受付部４１、要求提供部４２、結果送受信部４３を実現している。
【００３２】
要求受付部４１はスマートデバイス１１から情報処理装置２１宛の稼働状況取得要求や電源制御要求のメッセージを受信し、受信したメッセージを情報処理装置２１に対応するキュー４４に入れる。要求提供部４２は情報処理装置２１から自分宛のメッセージが無いかの問い合わせを例えばポーリングで受け付ける。要求提供部４２は問い合わせを受け付けた情報処理装置２１宛のメッセージがキュー４４にあれば、そのメッセージを問い合わせに対する応答（レスポンス）として返す。
【００３３】
結果送受信部４３は情報処理装置２１から稼働状況取得要求や電源制御要求の処理結果を受信し、その稼働状況取得要求や電源制御要求を行ったスマートデバイス１１に対して処理結果を応答として返す。また、キュー４４は受信した稼働状況取得要求や電源制御要求のメッセージを情報処理装置２１ごとに保持する。
【００３４】
《データ構成》
例えば情報処理装置２１の設定情報記憶部３６は図５に示すような紐付け情報を記憶している。図５は紐付け情報の一例の構成図である。図５の紐付け情報は、電気機器２２と子機のスマート電源タップ２４のコンセントとを紐付けるものである。
【００３５】
図５の紐付け情報はデータ項目としてスマート電源タップＩＤ、コンセントＩＤ、機器ＩＤ、機器名称、電源を有する。スマート電源タップＩＤは子機のスマート電源タップ２４を識別する情報である。コンセントＩＤは子機のスマート電源タップ２４に配置されたコンセントを識別する情報である。機器ＩＤはコンセントに接続された電気機器２２を識別する情報である。機器名称は機器ＩＤに紐付けられた電気機器２２の名称である。電源はコンセントに接続された電気機器２２の電源（通電）状態をＯＮ／ＯＦＦで表す情報である。
【００３６】
＜処理の詳細＞
以下では本実施形態に係る情報処理システム１の処理の詳細について説明する。
【００３７】
図６はスマートデバイス１１と情報処理装置２１との通信の一例について説明する図である。例えばステップＳ１においてスマートデバイス１１は機器ＩＤ「ＡＢＣＤ」の情報処理装置２１宛の稼働状況取得要求や電源制御要求のメッセージをリレーサーバ１２に送信する。
【００３８】
リレーサーバ１２の要求受付部４１は機器ＩＤ「ＡＢＣＤ」の情報処理装置２１に対応したキュー４４にスマートデバイス１１から受信したメッセージを入れる。機器ＩＤ「ＡＢＣＤ」の情報処理装置２１は自分宛のメッセージが無いかのリレーサーバ１２への問い合わせをポーリングにより行っている。
【００３９】
ステップＳ２において、リレーサーバ１２の要求提供部４２は機器ＩＤ「ＡＢＣＤ」の情報処理装置２１から自分宛のメッセージが無いかの問い合わせを受け付ける。要求提供部４２は機器ＩＤ「ＡＢＣＤ」の情報処理装置２１に対応したキュー４４からメッセージを取り出し、問い合わせに対する応答として機器ＩＤ「ＡＢＣＤ」の情報処理装置２１に返す。
【００４０】
自分宛のメッセージを受け取った情報処理装置２１の要求取得部３１は稼働状況取得要求や電源制御要求の処理を機器電力収集部３３、稼働状況提供部３４、電源制御部３５などを利用して実行する。ステップＳ３において、情報処理装置２１の結果送信部３２は稼働状況取得要求や電源制御要求の処理の結果をリレーサーバ１２に送信する。
【００４１】
稼働状況取得要求や電源制御要求の処理の結果を受信したリレーサーバ１２の結果送受信部４３はステップＳ４において、稼働状況取得要求や電源制御要求を行ったスマートデバイス１１に対して処理結果を応答として返す。
【００４２】
図６に示した通信により、情報処理システム１のスマートデバイス１１はＦＷを超えて稼働状況取得要求や電源制御要求を情報処理装置２１に行うことができる。
【００４３】
稼働状況取得要求の処理結果を受信したスマートデバイス１１は例えば図７に示すような画面を表示する。図７はスマートデバイスの一例の画面例である。図７の画面は電気機器２２の機器名称と、その電気機器２２の電源状態をＯＮ／ＯＦＦで表す情報とが表示されている例を示している。
【００４４】
図７の画面を確認することにより、スマートデバイス１１を操作するユーザは子機のスマート電源タップ２４に接続された電気機器２２の稼働状況を確認できる。また、図７の画面からユーザによる電気機器２２の電源制御要求を受け付けるようにしてもよい。例えば図７の画面はボタン上に電気機器２２の機器名称と、その電気機器２２の電源状態をＯＮ／ＯＦＦで表す情報とを配置し、そのボタンの押下により電源状態をＯＮ／ＯＦＦする電気機器２２の電源制御要求を受け付けるようにしてもよい。図７の画面から電気機器２２の電源制御要求を受け付けたスマートデバイス１１は情報処理装置２１宛の電源制御要求のメッセージをリレーサーバ１２に送信する。
【００４５】
《まとめ》
本実施形態の情報処理システム１によれば社内ＬＡＮ等のプライベートなネットワークＮ２に存在する情報処理装置２１に対し、ネットワークＮ２と別のネットワークＮ１にあるスマートデバイス１１から稼働状況取得要求や電源制御要求を行うことができる。したがって、本実施形態の情報処理システム１によれば情報処理装置２１と別のネットワークＮ１にあるスマートデバイス１１が電気機器２２の稼働状況取得と電源制御とを行うことができる。
【００４６】
ユーザは情報処理装置２１と別のネットワークＮ１にあるスマートデバイス１１から電気機器２２の稼働状況を確認し、電気機器２２を選択して電源制御を行うことができる。
［第２の実施形態］
図１に示した情報処理システム１は例えば図８に示すように構成することもできる。図８は第２の実施形態に係る情報処理システムの一例の構成図である。図８の情報処理システム１Ａは図１の情報処理システム１における情報処理装置２１の機能を、情報処理装置２１Ａと管理装置２５とに分けた構成である。
【００４７】
例えば情報処理装置２１Ａは主にリレーサーバ１２との通信に関係する処理を行う。管理装置２５は主に親機のスマート電源タップ２３との通信に関係する処理を行う。図８に示した情報処理システム１Ａにおいて、スマートデバイス１１は情報処理装置２１Ａ宛てにリレーサーバ１２を経由して稼働状況取得要求や電源制御要求を送信する。
【００４８】
情報処理装置２１Ａはスマートデバイス１１からの稼働状況取得要求や電源制御要求を受信し、予め登録されている一つ以上の管理装置２５に稼働状況取得要求や電源制御要求を行う。管理装置２５は情報処理装置２１Ａからの稼働状況取得要求や電源制御要求に応じた要求を親機のスマート電源タップ２３に送信する。親機のスマート電源タップ２３は管理装置２５からの要求を子機のスマート電源タップ２４に対して送信する。子機のスマート電源タップ２４は受信した要求に応じてコンセントごとの消費電力の計測や電源制御を行う。なお、図８に示したように情報処理装置２１Ａからの要求を受信する管理装置２５は複数であってもよい。
【００４９】
第２の実施形態に係る情報処理システム１Ａによれば、図１の情報処理システム１の情報処理装置２１の機能を、情報処理装置２１Ａ及び管理装置２５により階層化して設けることができる。
［第３の実施形態］
図８に示した情報処理システム１Ａは例えば図９に示すように構成することもできる。図９は第３の実施形態に係る情報処理システムの一例の構成図である。図９の情報処理システム１Ｂは図８の情報処理システム１Ａにおける管理装置２５の機能を、電気機器２２の操作パネルなどの機能を提供する管理装置２５Ａとして設けた構成である。
【００５０】
第３の実施形態に係る情報処理装置２１Ａは例えば図１０に示す処理ブロックで実現される。図１０は第３の実施形態に係る情報処理装置の一例の処理ブロック図である。情報処理装置２１Ａはプログラムを実行することで、要求取得部３１、結果送信部３２、稼働状況提供部３４、設定情報記憶部３６を実現している。つまり、図１０の情報処理装置２１Ａは図３の情報処理装置２１の構成から機器電力収集部３３、電源制御部３５を除いた構成となる。
【００５１】
なお、設定情報記憶部３６は情報処理装置２１Ａが各種処理に利用する設定情報を記憶している。なお、設定情報記憶部３６が記憶する設定情報には後述の電気機器２２と子機のスマート電源タップ２４とを紐付ける紐付け情報が含まれている。
【００５２】
また、第３の実施形態に係る管理装置２５Ａは例えば図１１に示す処理ブロックで実現される。図１１は第３の実施形態に係る管理装置の一例の処理ブロック図である。管理装置２５Ａはプログラムを実行することで、機器電力収集部５１、電力情報提供部５２、電源制御部５３を実現している。
【００５３】
機器電力収集部５１は親機のスマート電源タップ２３と通信を行い、子機のスマート電源タップ２４のコンセントごとに計測された消費電力の情報を収集する。収集した消費電力の情報はＨＤＤ１０８などの記憶装置に記憶される。電力情報提供部５２は情報処理装置２１Ａに対して電力情報を提供する。また、電力情報提供部５２は電気機器２２の機器情報を情報処理装置２１Ａに対して提供する。
【００５４】
電源制御部５３は親機のスマート電源タップ２３と通信を行い、スマートデバイス１１からの電源制御要求に応じて子機のスマート電源タップ２４のコンセントごとの電源制御を要求する。
【００５５】
例えば情報処理装置２１Ａの設定情報記憶部３６は図１２に示すような紐付け情報を記憶している。図１２は紐付け情報の他の例の構成図である。図１２の紐付け情報は、電気機器２２と子機のスマート電源タップ２４のコンセントとを紐付けるものである。
【００５６】
図１２の紐付け情報はデータ項目としてスマート電源タップＩＤ、コンセントＩＤ、機器ＩＤ、機器名称、電源、瞬時電力、利用状況を有する。図１２の紐付け情報は図５の紐付け情報の項目に瞬時電力、利用状況を追加した構成である。
【００５７】
瞬時電力は各電気機器２２の瞬時電力である。利用状況は各電気機器２２の使用中や待機中などの利用状況である。なお、図１２の利用状況では電気機器２２が通電していない場合や情報処理装置２１Ａから取得できない利用状況である場合に斜線が付してある。
【００５８】
図１３は第３の実施形態に係る情報処理システムの処理手順を表した一例のシーケンス図である。なお、図１３においてはリレーサーバ１２の処理を省略している。ステップＳ１１において、スマートデバイス１１は情報処理装置２１Ａに対して印刷要求を行う。
【００５９】
ステップＳ１２において、情報処理装置２１Ａは電気機器２２の一例としてのＭＦＰに印刷要求を行う。ＭＦＰは印刷要求に応じた印刷処理を開始する。ステップＳ１３において、管理装置２５Ａは親機のスマート電源タップ２３から電力情報をポーリングにより取得する。
【００６０】
ステップＳ１４において、スマートデバイス１１は情報処理装置２１に稼働状況取得要求を送信する。ステップＳ１５において、情報取得装置２１Ａは管理装置２５Ａから電気機器２２の機器情報・電力情報を取得する。また、情報処理装置２１ＡはステップＳ１５で取得した機器情報に対応した電気機器２２の利用状況を確認する。電気機器２２の利用状況は例えばステップＳ１２の印刷要求などのように、電気機器２２に対して行った要求を記憶しておくことにより確認できる。
【００６１】
そして、情報処理装置２１ＡはステップＳ１４の稼働情報取得要求を行ったスマートデバイス１１に対して処理結果を応答として返す。なお、スマートデバイス１１は処理結果の応答により例えば図１４に示すような画面を表示する。図１４はスマートデバイスの一例の画面例である。図１４の画面は電気機器２２の機器名称と、その電気機器２２の電源状態、利用状況及び瞬時電力とが表示されている例を示している。
【００６２】
電源状態は電気機器２２が通電しているか否かを通電（ＯＮ）又は通電していない（ＯＦＦ）で表している。利用状況は電気機器２２が使用中か待機中かを表している。図１４の画面を確認することにより、スマートデバイス１１を操作するユーザは子機のスマート電源タップ２４に接続された電気機器２２の電源状態、利用状況、瞬時電力などの稼働状況を確認できる。
【００６３】
また、図１４の画面からユーザによる電気機器２２の電源制御要求を受け付けるようにしてもよい。例えば図１４の画面はボタン上に電気機器２２の機器名称と、その電気機器２２の電源状態、利用状況及び瞬時電力の情報を配置し、そのボタンの押下により電源状態をＯＮ／ＯＦＦする電気機器２２の電源制御要求を受け付けるようにしてもよい。図１４の画面から電気機器２２の電源制御要求を受け付けたスマートデバイス１１はステップＳ１８において情報処理装置２１Ａ宛の電源制御要求を送信する。ステップＳ１９及びＳ２０において、情報処理装置２１Ａはスマートデバイス１１からの電源制御要求を管理装置２５Ａを介して親機のスマート電源タップ２３に送信する。
【００６４】
第３の実施形態に係る情報処理システム１Ｂによれば、図１の情報処理システム１の情報処理装置２１の機能を、情報処理装置２１Ａ及び電気機器２２の操作パネルなどの機能を提供する管理装置２５Ａにより設けることができる。また、第３の実施形態に係る情報処理システム１Ｂでは、電気機器２２の電源状態及び瞬時電力の情報の他、自身が電気機器２２対して行った要求による電気機器２２の利用状況の情報をスマートデバイス１１に表示させることができる。
【００６５】
本発明は、具体的に開示された上記の実施形態に限定されるものではなく、特許請求の範囲から逸脱することなく、種々の変形や変更が可能である。
【００６６】
なお、リレーサーバ１２は特許請求の範囲に記載した中継装置の一例である。要求取得部３１は要求受付手段の一例である。機器電力収集部３３、電源制御部３５は要求手段の一例である。情報処理装置２１Ａは中継装置との通信に関係する処理を行う装置の一例である。コンセントは電源接続部の一例である。
【符号の説明】
【００６７】
１、１Ａ、１Ｂ    情報処理システム
１１    スマートデバイス
１２    リレーサーバ
２１、２１Ａ    情報処理装置
２２    電気機器
２３    スマート電源タップ（親機）
２４    スマート電源タップ（子機）
２５、２５Ａ    管理装置
３１    要求取得部
３２    結果送信部
３３    機器電力収集部
３４    稼働状況提供部
３５    電源制御部
３６    設定情報記憶部
４１    要求受付部
４２    要求提供部
４３    結果送受信部
４４    キュー
５１    機器電力収集部
５２    電力情報提供部
５３    電源制御部
１００    コンピュータ
１０１    入力装置
１０２    表示装置
１０３    外部Ｉ／Ｆ
１０３ａ    記録媒体
１０４    ＲＡＭ
１０５    ＲＯＭ
１０６    ＣＰＵ
１０７    通信Ｉ／Ｆ
１０８    ＨＤＤ
Ｂ    バス
ＦＷ    ファイアウォール
Ｎ１、Ｎ２    ネットワーク
【先行技術文献】
【特許文献】
【００６８】
【特許文献１】特開２００６−２５２６６号公報
【図１】
2015133060.tif 000003
【図２】
2015133060.tif 000004
【図３】
2015133060.tif 000005
【図４】
2015133060.tif 000006
【図５】
2015133060.tif 000007
【図６】
2015133060.tif 000008
【図７】
2015133060.tif 000009
【図８】
2015133060.tif 000010
【図９】
2015133060.tif 000011
【図１０】
2015133060.tif 000012
【図１１】
2015133060.tif 000013
【図１２】
2015133060.tif 000014
【図１３】
2015133060.tif 000015
【図１４】
2015133060.tif 000016